(57)【特許請求の範囲】
【請求項１】
複数の音源と、
作動中の音源を判定する判定手段と、
音源ごとの音量設定情報を記憶する記憶手段と、
前記複数の音源の一つからの音声信号を音量設定情報に基づいて処理して音声を出力する出力手段と、
音量設定情報を調整する調整手段と、
前記調整手段によって音量設定情報が調整されたときに、調整後の音量設定情報を前記記憶手段に記憶させる更新手段と、
を備え、
前記出力手段は、複数のスピーカを有し、
音量設定情報は、音源ごとに別個に設定された、前記複数のスピーカ間の出力バランスを含み、
前記出力手段は、作動中の音源についてのスピーカ間の出力バランスに従って各スピーカから音声を出力し、
車両内で乗員の着座している着座シートを検知する検知手段を更に備え、
前記出力バランスは、前記着座シートの組合せからなる着座パターンごとに別個に設定されており、
前記複数の音源は、ＡＭラジオを含み、
前記複数のスピーカは、車室の前部に配置された前部スピーカと、前記車室の後部に配置された後部スピーカとを含み、
車室の後部のシートに乗員が着座した着座パターンのときに、作動中の音源が前記ＡＭラジオのときの前記前部スピーカと前記後部スピーカとの出力バランスが、作動中の音源が前記ＡＭラジオ以外のものであるときの前記前部スピーカと前記後部スピーカとの出力バランスよりも、前記前部スピーカの出力バランスが高くなるように設定されている、
ことを特徴とする車両のオーディオ装置。
【請求項２】
音量設定情報は、音源ごとに独立に設定された音量レベルを含み、
前記出力手段は、作動中の音源について設定されている音量レベルで音声を出力する、ことを特徴とする請求項１の何れか一項に記載の車両のオーディオ装置。
【請求項３】
音量設定情報は、前記複数の音源間の音量バランスを含み、
前記出力手段は、作動中の音源についての音量バランスに従って音声を出力する、
ことを特徴とする請求項１又は２の何れか一項に記載の車両のオーディオ装置。
【請求項４】
前記調整手段による音量レベルの調整と、音源間の音量バランスの調整とを切り替える切替手段を更に備える、
ことを特徴とする請求項３記載の車両のオーディオ装置。
【発明の詳細な説明】
【技術分野】
【０００１】
本発明は、車両のオーディオ装置に係り、より詳細には、複数の音源を有する車両のオーディオ装置に関する。
【背景技術】
【０００２】
従来の車両のオーディオ装置の一例が、下記の特許文献１に記載されている。この特許文献１に記載の技術によれば、音量変更時に新たに設定された音量が車速と対応づけて記憶され、車速に応じた所望の音量が自動設定される。
【０００３】
また、車両のオーディオ装置は、一般に、ＡＭラジオ、ＦＭラジオ、ＭＤプレーヤ、ＣＤプレーヤ等の複数の音源からの音声を出力するように設計されている。これらの音源からの音声信号の強度は必ずしも同一ではない。例えば、ＣＤプレーヤ等の車載プレーヤからの音声信号の強度は、通常、ラジオからの音声信号の強度よりも高い。そこで、従来の車両のオーディオ装置においては、音源を切り替えた際に音量が急に大きくなることを防ぐため、音源間の出力バランスが予め設定されている。
【０００４】
【特許文献１】特開平９−１６０５７０号公報
【発明の開示】
【発明が解決しようとする課題】
【０００５】
ところが、予め設定されている音源間の出力バランスは、ユーザにとって常に最適なものであるとは限らない。例えば、ユーザが頻繁に聴くＣＤの内容や、ラジオ局からの電波の受信状態によっては、既定の音源間の出力バランスが不適切な場合もありうる。
【０００６】
そこで、本発明は、音源ごとにユーザにとって所望の音量で出力可能な車両のオーディオ装置を提供することを目的としている。
【課題を解決するための手段】
【０００７】
上記の目的を達成するため、本発明の車両のオーディオ装置は、複数の音源と、作動中の音源を判定する判定手段と、音源ごとの音量設定情報を記憶する記憶手段と、前記複数の音源の一つからの音声信号を音量設定情報に基づいて処理して音声を出力する出力手段と、音量設定情報を調整する調整手段と、前記調整手段によって音量設定情報が調整されるときに、調整後の音量設定情報を前記記憶手段に記憶させる更新手段と、を備え、前記出力手段は、複数のスピーカを有し、音量設定情報は、音源ごとに別個に設定された、前記複数のスピーカ間の出力バランスを含み、前記出力手段は、作動中の音源についてのスピーカ間の前記出力バランスに従って各スピーカから音声を出力し、車両内で乗員の着座している着座シートを検知する検知手段を更に備え、前記出力バランスは、前記着座シートの組合せからなる着座パターンごとに別個に設定されており、前記複数の音源は、ＡＭラジオを含み、前記複数のスピーカは、車室の前部に配置された前部スピーカと、前記車室の後部に配置された後部スピーカとを含み、車室の後部のシートに乗員が着座した着座パターンのときに、作動中の音源が前記ＡＭラジオのときの前記前部スピーカと前記後部スピーカとの出力バランスが、作動中の音源が前記ＡＭラジオ以外のものであるときの前記前部スピーカと前記後部スピーカとの出力バランスよりも、前記前部スピーカの出力バランスが高くなるように設定されている、ことを特徴としている。
【０００８】
このように、本発明の車両のオーディオ装置によれば、出力バランス等の音量設定情報をユーザが音源ごとに調節することができる。これにより、音源ごとに音声がユーザにとって所望の出力バランス等で出力される。そして、音源によってスピーカ間の出力バランスを変更することにより、例えば、ＡＭラジオの交通情報のように前部シートの運転車だけが聴けば十分な音声の場合には、前部のスピーカの出力バランスを高くし、一方、ＣＤの音楽のように後部座席の乗員に聴かせたい場合には、後部のスピーカの出力バランスを高くすることができる。
さらに、本発明では、音源ごとに記憶された音声設定情報に基づいて音声が出力されるため、切替後の音源が前回作動したときのスピーカ間の出力バランスで、音声を出力させることができる。例えば、音源がＣＤプレーヤ等から再びＡＭラジオに切り替えられた場合には、ＡＭラジオが前回作動したときのスピーカ間の出力バランスで音声が出力される。このため、本発明によれば、音源を切り替えるたびにスピーカ間の出力バランスの調整操作をする必要が著しく低い。例えば、後部座席に乗員が着座している場合に、ＡＭラジオの交通情報のように前部シートの運転車だけが聴けば十分な音声の場合には、前部のスピーカの出力バランスを高くし、一方、ＣＤの音楽のように後部座席の乗員に聴かせたい場合には、後部のスピーカの出力バランスを高くすることができる。そして、例えば、ＣＤプレーヤで音楽を聴きながら、時々、ＡＭラジオの受信感度の低い状況下でハイウエイラジオ等の交通情報を聴く場合に、出力バランスをいちいち調整しなくとも、後部座席の乗員の会話を妨げることなく、交通情報を聴くことができる。
なお、本発明において「音声」とは、人間が聴覚的に認識可能な音をいい、人間が発声器官を通じて発する言語音に限定されず、広く音楽等の非言語音をも含む。
【０００９】
また、本発明において好ましくは、音量設定情報は、音源ごとに独立に設定された音量レベルを含み、前記出力手段は、作動中の音源について設定されている音量レベルで音声を出力する。
これにより、作動中の音源が前回作動したときの音量レベルで自動的に音声が出力される。
【００１０】
また、本発明において好ましくは、音量設定情報は、前記複数の音源間の音量バランスを含み、前記出力手段は、作動中の音源についての音量バランスに従って音声を出力する。
このように、通常製品出荷時に設定されている音量バランスをユーザが更に微調整すれば、音源ごとにユーザにとって所望の音量で音声が出力される。
【００１１】
また、本発明において好ましくは、調整手段による音量レベルの調整と、音源間の音量バランスの調整とを切り替える切替手段を更に備える。
これにより、出力手段から出力される音量レベルの調整と、音源間の音量バランスの調整とを容易に切り替えることができる。
【発明を実施するための最良の形態】
【００１５】
以下、添付の図面を参照して、本発明の車両のオーディオ装置の実施形態を説明する。
まず、図１のブロック図を参照して、第１実施形態の車両のオーディオ装置の構成について説明する。
【００１６】
本実施形態の車両のオーディオ装置は、複数の音源１と、作動中の音源１を判定する判定手段２と、音源１ごとの音量設定情報を記憶する記憶手段３と、複数の音源１の一つからの音声信号を音量設定情報に基づいて処理して音声を出力する出力手段４と、音量設定情報を調整する調整手段５と、調整手段５によって音量設定情報が調整されるときに、調整後の音量設定情報を記憶手段３に記憶させる更新手段６とを備えている。
【００１７】
音源１は、ＡＭラジオ１ａ及びＦＭラジオ１ｂと、記録媒体の再生装置であるＣＤプレーヤ１ｃ及びＭＤプレーヤ１ｄと、外部端子１ｅとから構成される。外部端子１ｅには、ｉＰｏｄ（登録商標）等の携帯オーディオユニットが接続され、その携帯オーディオユニットのオーディオデータが外部端子１ｅから車両のオーディオ装置に入力される。
なお、音源１にカセットテーププレーヤを追加してもよい。
【００１８】
判定手段２は、例えば、マイクロコンピュータやマイクロチップによって実現される。そして、判定手段２は、各音源１ａ〜１ｅの作動状況、例えば、スイッチのＯＮ／ＯＦＦ状態を検出して現在作動中の音源を判定する。
【００１９】
本実施形態の音量設定情報は、音源ごとの音量レベル（ボリューム値）を含む。そして、記憶手段３には、下記の表１に示すように、音源１ごとに独立に設定された音量レベル（ＶＯＬ）が記憶されている。
【００２０】
【表１】
0005201392.tif 000002
【００２１】
調整手段５は、通常の音量ダイヤル等の操作手段である。なお、調整手段５の形態は、任意好適なものとすることができる。例えば、押しボタン式であってもよいし、ダイヤル式であってもよい。
【００２２】
更新手段６は、例えば、マイクロコンピュータやマイクロチップによって実現される。そして、調整手段５によって音量レベルが調整されると、更新手段６は、作動中の音源の調整後の音量レベルを記憶手段３に記憶させる。例えば、音源１としてＡＭラジオ１ａが作動しているとき、ユーザが調整手段５を操作して、音量レベルを「ＶＯＬ７」から「ＶＯＬ２０」に引き上げた場合、下記の表２に示すように、ＡＭラジオ１ａの設定音量レベルだけが他の音源とは独立に更新される。一方、ＦＭラジオ１ｂ等の他の音源の音量レベルは変更されない。
【００２３】
【表２】
0005201392.tif 000003
【００２４】
出力手段４は、通常のカーオーディオのアンプ及びスピーカを有する。そして、出力手段４は、作動中の音源について設定されている音量レベルで音声を出力する。例えば、ＡＭラジオ１ａの作動中、出力手段４は、上記調整前は、音量レベル「ＶＯＬ２０」で音声を出力し、調整後は、音量レベル「ＶＯＬ２０」で出力する。
【００２５】
また、音源がＡＭラジオ１ａからＣＤプレーヤ１ｃに切り替えられた場合、出力手段４は、表２に示すように、音量レベル「ＶＯＬ１０」で音声を出力する。このように、音源ごとに音量レベルが独立に設定されているため、ＡＭラジオ１ａ作動中に音量レベルを引き上げていても、音源１を切り替えてＣＤプレーヤ１ｃを作動させた途端、大音量が出力されることが防止される。
【００２６】
さらに、音源がＣＤプレーヤ１ｃから再びＡＭラジオ１ａに切り替えられた場合、出力手段４は、切替後の音源が、前回作動したときの音量レベルで音声を出力する。例えば、出力手段４は、表２に示すように、音量レベル「ＶＯＬ２０」で再び音声を出力する。このように、現在作動中の音源が前回作動したときの音量レベルで音声が出力されるので、音源を切り替えるたびに音量レベルの調整操作をする必要性が著しく低くなる。例えば、ＣＤプレーヤ１ｃで音楽を聴きながら、時々、ＡＭラジオ１ａの受信感度の低い状況下でハイウェイラジオ（登録商標）等の交通情報を聴く場合に特に好適である。
【００２７】
次に、図２のフローチャートを参照して、第１実施形態の車両のオーディオ装置の動作例について説明する。
まず、車両のオーディオ装置の作動が開始し、或いは、音源が切り替えられた場合（Ｓ２１で「Ｙｅｓ」の場合）、判定手段２が、現在作動中の音源１を判定する（Ｓ２２）。例えば、車両のオーディオ装置のメインスイッチが入れられた際に、ＡＭラジオ１ａが作動している場合、判定手段２は、現在作動中の音源１をＡＭラジオ１ａと判定する。また、音源がＣＤプレーヤ１ｃからＡＭラジオ１ａに切り替えられた場合にも、判定手段２は現在作動中の音源１をＡＭラジオ１ａと判定する。
【００２８】
続いて、出力手段４が、記憶手段３から、ＡＭラジオ１ａの前回の音量レベルを読み出す（Ｓ２３）。記憶手段３に、上記の表１に示す前回の音量レベルが記憶されている場合、出力手段は、ＡＭラジオ１ａの音量レベル「ＶＯＬ７」を読み出す。
【００２９】
そして、出力手段４は、読み出した前回の音量レベルを設定する（Ｓ２４）。これにより、ＡＭラジオ１ａの音声が、音量レベル「ＶＯＬ７」で出力される。
【００３０】
調整手段５によって音量レベルが変更された場合（Ｓ２５で「Ｙｅｓ」の場合）、更新手段６によって変更後の音量レベルが記憶手段５に書き込まれる（Ｓ２６）。例えば、ＡＭラジオ１ａの音量レベルが「ＶＯＬ７」から「ＶＯＬ２０」に変更された場合、上記の表２に示すように、ＡＭラジオ１ａの音量レベルのみが書き換えられる。これにより、次回にＡＭラジオ１ａが作動したときには、音量レベル「ＶＯＬ２０」で音声が出力される。このように、本実施形態のオーディオ装置によれば、音源ごとに独立して前回作動時の音量レベルが記憶されているので、音源ごとにユーザにとって所望の音量で音声が出力される。
【００３１】
次に、第２実施形態の車両のオーディオ装置について説明する。
まず、図３を参照して、第２実施形態の車両のオーディオ装置の構成について説明する。第２実施形態の車両のオーディオ装置は、調整手段５による音量レベルの調整と、音源間の音量バランスの調整とを切り替える切替手段７を更に備えた点を除いては、図１に示した第１実施形態のものと基本的に同じである。
【００３２】
ただし、本実施形態の音量設定情報は、複数の音源間の音量バランスを含む。そして、記憶手段３には、下記の表３に示すように、音源間の音量バランスの係数が記憶されている。
なお、下記の表３に示す例では、外部端子１ｅから入力される音声信号については、音源間の音量バランスを設定せず、独立に音量レベルが調整される。
【００３３】
【表３】
0005201392.tif 000004
【００３４】
音量バランスの設定方式には、任意好適な方式を採用することができる。例えば、上記の表３に示すように音源間の比率で表してもよいし、所定値との差で表してもよい。音量バランスの係数を比率で設定した場合には、音量レベルと音量バランスの係数との積で音声を出力するとよい。また、音量バランスの係数を所定値との差で設定した場合には、音量レベルと音量バランスの係数との和又は差で音声を出力するとよい。
【００３５】
切替手段７の構成は、任意好適なものを採用することができる。例えば、切替手段７を調整手段５としてのボリュームダイヤルと一緒に設けるとよい。そして、切替手段７によって、調整手段５の調整対象が切り替えられる。すなわち、切替手段７を切り替えることにより、調整手段５は、音量レベルを調整し、或いは音源ごとの音量バランスを調整することができる。
【００３６】
ただし、本実施形態では、音量レベルを調整した場合、外部端子１ｅを除いて、現在作動中の音源１に関係なく、外部端子１ｅを除く各音源の音量レベルが連動して変更される。一方、音源間の音量バランスを調整した場合、その際に作動している音源の音量バランスの係数のみが変更され、他の音源の音量バランスの係数は変更されない。
【００３７】
調整手段５によって音源間の音量バランスが調整されると、更新手段６は、作動中の音源の調整後の音量バランスの係数を記憶手段３に記憶させる。例えば、音源１としてＡＭラジオ１ａが作動しているとき、ユーザが調整手段５を操作して、ＡＭラジオ１ａの音量バランスの係数を「０．７」から「１．２」に変更した場合、下記の表４に示すように、ＡＭラジオ１ａの音量バランスの係数だけが他の音源とは独立に更新される。一方、ＦＭラジオ１ｂ等の他の音源の音量バランスの係数は変更されない。
【００３８】
【表４】
0005201392.tif 000005
【００３９】
出力手段４は、作動中の音源についての音量バランスに従って音声を出力する。例えば、ＡＭラジオ１ａを音量レベル「ＶＯＬ２０」の作動中、出力手段４は、上記調整前は、音量レベル「ＶＯＬ２０」に音量バランス「０．７」を掛けて音声を出力し、調整後は、音量レベル「ＶＯＬ２０」に音量バランス「１．２」を掛けて音声を出力する。このように音源間の音量バランスを微調整することにより、音源ごとにユーザにとって所望の音量で音声を出力させることができる。
【００４０】
なお、音量レベルが「ＶＯＬ２０」から例えば「ＶＯＬ１０」に変更された場合にも、出力手段４は、上記調整前は、音量レベル「ＶＯＬ１０」に音量バランス「０．７」を掛けて音声を出力し、調整後は、音量レベル「ＶＯＬ１０」に音量バランス「１．２」を掛けて音声を出力する。
【００４１】
また、音源がＡＭラジオ１ａからＣＤプレーヤ１ｃに切り替えられた場合、出力手段４は、音量レベル「ＶＯＬ２０」に、表２に示すＣＤプレーヤ１ｃの音量バランスの係数「１．０」を掛けて音声を出力する。このように、音量レベルの設定が一定であっても、音源間の音量バランスがユーザにとって所望のバランスで設定されているため、音源１をＡＭラジオ１ａからＣＤプレーヤ１ｃ切り替えた途端、大音量が出力されたり、音量が不足したりすることが防止される。
【００４２】
さらに、音源がＣＤプレーヤ１ｃから再びＡＭラジオ１ａに切り替えられた場合、出力手段４は、切替後の音源が、前回作動したときの音量バランスの係数を掛けて音声を出力する。例えば、出力手段４は、音量レベル「ＶＯＬ２０」に、表２に示すＡＭラジオ１ａの音量バランスの係数「１．２」を掛けて再び音声を出力する。このように、現在作動中の音源が前回作動したときの音量バランスの係数を掛けて音声が出力されるので、音源を切り替えてもユーザにとって所望の音量で音声が出力される。
【００４３】
次に、図４のフローチャートを参照して、第２実施形態の車両のオーディオ装置の動作例について説明する。
まず、車両のオーディオ装置の作動が開始し、或いは、音源が切り替えられた場合（Ｓ４１で「Ｙｅｓ」の場合）、判定手段２が、現在作動中の音源１を判定する（Ｓ４２）。例えば、車両のオーディオ装置のメインスイッチが入れられた際に、ＡＭラジオ１ａが作動している場合、判定手段２は、現在作動中の音源１をＡＭラジオ１ａと判定する。また、音源がＣＤプレーヤ１ｃからＡＭラジオ１ａに切り替えられた場合にも、判定手段２は現在作動中の音源１をＡＭラジオ１ａと判定する。
【００４４】
続いて、出力手段４が、記憶手段３から、ＡＭラジオ１ａの前回の音源（ソース）間の音量バランスの係数を読み出す（Ｓ４３）。記憶手段３に、上記の表３に示す音量バランスの係数が記憶されている場合、出力手段は、ＡＭラジオ１ａの音量バランスの係数「０．７」を読み出す。
【００４５】
そして、出力手段４は、音量レベルと、読み出した前回の音量バランスの係数との積を求めて出力を設定する（Ｓ４４）。音量レベルが「ＶＯＬ２０」に設定されている場合、この音量レベル「ＶＯＬ２０」に、表４３示すＡＭラジオ１ａの音量バランスの係数「０．７」を掛けて音声を出力する。
【００４６】
調整手段５によって音源ごとの音量バランスが変更された場合（Ｓ４５で「Ｙｅｓ」の場合）、更新手段６によって変更後の音量バランスの係数が記憶手段５に書き込まれる（Ｓ４６）。例えば、ＡＭラジオ１ａの音量バランスの係数が「０．７」から「１．２」に変更された場合、上記の表４に示すように、ＡＭラジオ１ａの音量バランスの係数のみが書き換えられる。これにより、次回にＡＭラジオ１ａが作動したときには、音量レベルに音量バランスの係数「１．２」を掛けて音声が出力される。このように、本実施形態のオーディオ装置によれば、音源ごとにユーザにとって所望の音量で音声が出力される。
【００４７】
次に、第３実施形態の車両のオーディオ装置について説明する。
まず、図５を参照して、第３実施形態の車両のオーディオ装置の構成について説明する。第３実施形態の車両のオーディオ装置の構成は、車両内で乗員の着座している着座シートを検知する検知手段７を更に備えた点を除いては、図１に示した第１実施形態のものと基本的に同じである。検知手段７の形態は、任意好適なものを採用することができる。例えば、シートベルトの着用の有無を検出する着座検知装置を利用してもよい。
【００４８】
ただし、第３実施形態では、出力手段４は、図６（ａ）及び図６（ｂ）に示すように、車室５０内の前部の両側及び後部の両側にそれぞれ配置した合計４つのスピーカを有する。
【００４９】
また、本実施形態の音量設定情報は、音源ごとに別個に設定された、複数のスピーカ間の出力バランスを含む。そして、記憶手段３には、音源１ごとに独立に設定された出力バランスが記憶されている。本実施形態では、出力バランスは、着座シートの組合せからなる着座パターンごとに別個に設定されている。
ここで、下記の表５に、図６の（ａ）に示すように、車室５０内の後部座席５３に乗員が着座していない場合のスピーカ間の出力バランスを音源ごとに示す。
【００５０】
【表５】
0005201392.tif 000006
【００５１】
上記の表５に示す例では、スピーカ間の出力バランスを車両の前部に配置したスピーカ４１及び４２と、後部に配置したスピーカ４３及び４４とに分けて設定しているが、設定パターンはこれに限定されない。例えば、左右のスピーカの出力に差を付けてもよい。
【００５２】
さらに、下記の表６に、図６（ｂ）に示すように、車室５０内の後部座席５３に乗員が着座している場合のスピーカ間の出力バランスを音源ごとに示す。
【００５３】
【表６】
0005201392.tif 000007
【００５４】
上記の表６に示す例では、車室５０内の後部座席５３の着座の有無によって着座パターンを分けたが、着座パターンはこれに限定されない。例えば、車室５０内の助手席５２の着座の有無や、後部座席５３の着座人数が２以上か否かによって、着座パターンを分類してもよい。さらに、これらの着座パターンの組合せによって更にきめ細かい着座パターンとしてもよい。また、助手席５２の着座の有無等に応じて、左右のスピーカ間の出力バランスに差を付けるようにしてもよい。
【００５５】
図６（ａ）に示すように、後部座席５３に乗員が着座していない場合には、上記の表５に示すように、各音源１ａ〜１ｅについて前部と後部のスピーカ間の出力バランスが「５：２」に設定されている。一方、図６（ｂ）に示すように、後部座席５３に乗員が着座している場合には、上記の表６に示すように、各音源１ａ〜１ｅについて前部と後部のスピーカ間の出力バランスを「５：６」に設定されている。これにより、後部座席５３に乗員が着座している場合には、乗員にも車両のオーディオ装置の音声出力が良く聞こえる。
【００５６】
また、調整手段５の形態は、任意好適なものとすることができる。例えば、各スピーカ間の出力バランスを個別に調整するスイッチを設けてもよいし、前部と後部のスピーカ間の出力バランスだけを調整するもスイッチを設けてもよい。スイッチは、押しボタン式であってもよいし、ダイヤル式であってもよい。
【００５７】
更新手段６は、例えば、マイクロコンピュータやマイクロチップによって実現される。そして、調整手段５によってスピーカ間の出力バランスが調整されると、更新手段６は、作動中の音源の調整後の出力バランスを記憶手段３に記憶させる。例えば、後部座席５３に乗員が着座している着座パターンにおいて、ＡＭラジオ１ａが作動しているとき、ユーザが調整手段５を操作して、前部と後部のスピーカ間の出力バランスを、「５：６」から「５：２」に変更する。この場合、下記の表７に示すように、ＡＭラジオ１ａについてスピーカ間の出力バランスだけが他の音源とは独立に更新される。一方、ＦＭラジオ１ｂ等の他の音源についてスピーカ間の出力バランスは変更されない。
【００５８】
【表７】
0005201392.tif 000008
【００５９】
出力手段４は、着座パターンに応じて作動中の音源について設定されている音量レベルで音声を出力する。例えば、後部座席５３に乗員が着座している着座パターンにおいて、ＡＭラジオ１ａの作動中、出力手段４は、上記調整前は、表６に示すように、前部と後部のスピーカ間の出力バランスを「５：６」として音声を出力する。また、調整後は、表７に示すように、出力手段４は、前部と後部のスピーカ間の出力バランスを「５：２」で出力する。このように、後部座席５３に乗員が着座している場合において、後部スピーカ４３及び４３の出力バランスを下げれば、例えば、後部座席５３の乗員の会話を妨げることなく、運転席５１の運転者が、ＡＭラジオ１ａの交通情報を良く聞き取ることができる。このように、本実施形態の車両のオーディオ装置によれば、音源ごとにユーザにとって所望の音量で音声が出力される。
【００６０】
また、音源がＡＭラジオ１ａからＣＤプレーヤ１ｃに切り替えられた場合、出力手段４は、表６に示すように、前部と後部のスピーカ間の出力バランスを「５：６」として音声を出力する。このように、音源ごとにスピーカ間の出力バランスが独立に設定されているため、ＡＭラジオ１ａ作動中に後部スピーカ４３及び４４の出力バランスを引き上げていても、音源１を切り替えてＣＤプレーヤ１ｃを作動させた場合には、後部座席５３の乗員にも良く聞こえるように、出力バランスも切り替えられる。
【００６１】
さらに、音源がＣＤプレーヤ１ｃから再びＡＭラジオ１ａに切り替えられた場合、出力手段４は、切替後の音源が前回作動したときのスピーカ間の出力バランスで音声を出力する。例えば、出力手段４は、表７に示すように、前部と後部のスピーカ間の出力バランスを再び「５：２」に切り替えて音声を出力する。このように、現在作動中の音源が前回作動したときのスピーカ間の出力バランスで音声が出力されるので、音源を切り替えるたびにスピーカ間の出力バランスの調整操作をする必要性が著しく低くなる。例えば、ＣＤプレーヤ１ｃで音楽を聴きながら、時々、ＡＭラジオ１ａの受信感度の低い状況下でハイウェイラジオ（登録商標）等の交通情報を聴く場合に、後部座席の乗員の会話を妨げることなく特に好適である。
【００６２】
次に、図７のフローチャートを参照して、第３実施形態の車両のオーディオ装置の動作例について説明する。
まず、車両のオーディオ装置の作動が開始し、或いは、音源が切り替えられた場合（Ｓ７１で「Ｙｅｓ」の場合）、判定手段２が、現在作動中の音源１を判定する（Ｓ７２）。例えば、車両のオーディオ装置のメインスイッチが入れられた際に、ＡＭラジオ１ａが作動している場合、判定手段２は、現在作動中の音源１をＡＭラジオ１ａと判定する。また、音源がＣＤプレーヤ１ｃからＡＭラジオ１ａに切り替えられた場合にも、判定手段２は現在作動中の音源１をＡＭラジオ１ａと判定する。
【００６３】
続いて、出力手段４が、記憶手段３から、ＡＭラジオ１ａのスピーカ間の出力バランスのデータを読み出す（Ｓ７３）。その際、検知手段７によって検知された着座パターンによって、読み出されるスピーカ間の出力バランスが異なる。具体的には、図６（ａ）に示すように、後部座席５３に乗員が着座していない着座パターンの場合には、上記の表５に示すように、前部と後部のスピーカ間の出力バランスとして「５：２」の値が読み出される。一方、図６（ｂ）に示すように、後部座席５３に乗員が着座している着座パターンの場合には、上記の表６に示すように、ＡＭラジオ１ａ作動時の前部と後部のスピーカ間の出力バランスとして「５：６」の値が読み出される。
【００６４】
そして、出力手段４は、作動中の音源についての出力バランスに従って各スピーカから音声を出力する（Ｓ７４）。例えば、後部座席５３に乗員が着座している着座パターンの場合には、前部と後部のスピーカ間の出力バランスとして「５：６」として音声を出力する。
【００６５】
また、調整手段５によってスピーカ間の出力バランスが変更された場合（Ｓ７５で「Ｙｅｓ」の場合）、更新手段６によって変更後のスピーカ間の出力バランスが記憶手段５に書き込まれる（Ｓ７６）。例えば、ＡＭラジオ１ａについて前部と後部の出力バランスが「５：６」から「５：２」に変更された場合、上記の表７に示すように、ＡＭラジオ１ａ作動時のスピーカ間の出力バランスのみが書き換えられる。これにより、次回にＡＭラジオ１ａが作動したときには、前後のスピーカ間の出力バランスを「５：２」として、音声が出力される。このように、本実施形態のオーディオ装置によれば、音源ごとにユーザにとって所望の音量で音声が出力される。
【００６６】
上述した各実施形態においては、本発明を特定の条件で構成した例について説明したが、本発明は種々の変更及び組み合わせを行うことができ、これに限定されるものではない。例えば、上述の第２実施形態では、外部端子を除く各音源間の出力バランスを設定したが、全音源のうちの一部の音源について独立に音量レベルを設定し、残りの音源について音源間の出力バランスを設定してもよい。
【００６７】
また、上述の第２実施形態では、切替手段７を設けた例について説明したが、本発明では、切替手段７を設けずに、調整手段として、音量レベルを調整する手段と、音源間の音量バランスを微調整する手段とを別個に設けてもよい。
【００６８】
また、上述の第３実施形態では、調整手段によって、スピーカ間の出力バランスを調整したが、スピーカ間の出力バランスは、音源ごとに固定されていてもよい。その場合、調整手段は省略することができる。
【図面の簡単な説明】
【００６９】
【図１】本発明の第１実施形態の車両のオーディオ装置の構成を説明するブロック図である。
【図２】本発明の第１実施形態の車両のオーディオ装置の動作を説明するフローチャートである。
【図３】本発明の第２実施形態の車両のオーディオ装置の構成を説明するブロック図である。
【図４】本発明の第２実施形態の車両のオーディオ装置の動作を説明するフローチャートである。
【図５】本発明の第３実施形態の車両のオーディオ装置の構成を説明するブロック図である。
【図６】（ａ）及び（ｂ）は車両の車室内の平面模式図である。
【図７】本発明の第３実施形態の車両のオーディオ装置の動作を説明するフローチャートである。
【符号の説明】
【００７０】
１  音源
１ａ  ＡＭラジオ
１ｂ  ＦＭラジオ
１ｃ  ＭＤプレーヤ
１ｄ  ＣＤプレーヤ
１ｅ  外部端子
２  判定手段
３  記憶手段
４  出力手段
５  調整手段
６  更新手段
７  切替手段
４１〜４４  スピーカ
５０  車室
５１  運転席
５２  助手席
５３  後部座席
５４  チャイルドシート
【図１】
0005201392.tif 000009
【図２】
0005201392.tif 000010
【図３】
0005201392.tif 000011
【図４】
0005201392.tif 000012
【図５】
0005201392.tif 000013
【図６】
0005201392.tif 000014
【図７】
0005201392.tif 000015